(57)【特許請求の範囲】
【請求項１】
脱穀装置（１）のフィードチェン（２）によって挟持搬送される脱穀済排稈を受け継いで後方の排稈処理装置（３）へ搬送する排稈搬送装置（４）を設けたコンバインにおいて、この排稈搬送装置（４）の排稈チェン（５）を巻き掛けるチェンフレーム（６）を、搬送排稈の挟持位置（Ａ）と挟持解除位置（Ｂ）とに上下動可能に設けると共に、これら各位置（Ａ，Ｂ）に切り替えて保持しうる切替レバー（７）を設け、前記脱穀装置（１）のフィードチェン（２）を張設したチェンフレーム（４９）を、脱穀装置（１）の入口側壁（５０）下部においてフィードチェン（２）側の端部に設けたチェン回動支軸（５１）を支点として、脱穀装置（１）の本体から外方に向けて開閉可能に構成し、前記チェンフレーム（４９）の外側にフィードチェン（２）関係の防護を行うチェンカバー（５５）を設け、該チェンカバー（５５）の下側には、脱穀装置（１）内におい
て選別風を送風する唐箕（２５）の吸気と防護を行う唐箕カバー前（５６ａ）を設け、前記フィードチェン（２）を張設したチェンフレーム（４９）を外方に向けて開くと、前記チェンカバー（５５）及び唐箕カバー前（５６ａ）が外方に向けて開くように構成したことを特徴とするコンバイン。
【発明の詳細な説明】
【０００１】
【発明の属する技術分野】
この発明は、圃場内の植立穀稈を脱穀して選別するコンバインに関する。
【０００２】
【従来の技術、及び発明が解決しようとする課題】
脱穀済排稈をカッタ装置やノッタ装置等の排稈処理装置へ搬送する排稈搬送装置の排稈チェンを、排稈搬送時における搬送詰まりによる掃除やメンテナンス時等に、その後部側を支点として前部側を上動させて搬送通路を開放させるものにおいて、従来では、この排稈チェンを扱胴カバーの押圧によって排稈を挟持搬送する挟持位置に保持させ、該カバーの開扉によって挟持位置の保持を解除することにより、排稈チェンの前部側を開口して搬送詰り等の掃除を行うようにしているものが一般的であった。
【０００３】
しかし、このような手段により排稈チェンを挟持位置に保持させるものでは、扱胴カバーの締め付けが緩みその押圧が不充分となった場合等には、挟持位置が保持されず排稈チェンによる搬送能力が低下して搬送詰まりを起し易い恐れがあった。また、掃除等を行う際に、排稈チェンの挟持解除位置をオイルダンパー等によって保持させる手段が必要でありコスト高となっていた。
【０００４】
この発明は、脱穀済排稈を挟持搬送する排稈搬送装置を、排稈の挟持位置とこの挟持位置を解除する挟持解除位置とに、単一のレバー操作により切り替え保持させる。また、保守点検や清掃を容易にしようとするものである。
【０００５】
【課題を解決するための手段】
この発明は、脱穀装置１のフィードチェン２によって挟持搬送される脱穀済排稈を受け継いで後方の排稈処理装置３へ搬送する排稈搬送装置４を設けたコンバインにおいて、この排稈搬送装置４の排稈チェン５を巻き掛けるチェンフレーム６を、搬送排稈の挟持位置Ａと挟持解除位置Ｂとに上下動可能に設けると共に、これら各位置Ａ，Ｂに切り替えて保持しうる切替レバー７を設け、前記脱穀装置１のフィードチェン２を張設したチェンフレーム４９を、脱穀装置１の入口側壁５０下部においてフィードチェン２側の端部に設けたチェン回動支軸５１を支点として、脱穀装置１の本体から外方に向けて開閉可能に構成し、前記チェンフレーム４９の外側にフィードチェン２関係の防護を行うチェンカバー５５を設け、該チェンカバー５５の下側には、脱穀装置１内において選別風を送風する唐箕２５の吸気と防護を行う唐箕カバー前５６ａを設け、前記フィードチェン２を張設したチェンフレーム４９を外方に向けて開くと、前記チェンカバー５５及び唐箕カバー前５６ａが外方に向けて開くように構成したことを特徴とするコンバインの構成とする。
【０００６】
【作用、及び発明の効果】
上記の構成により、排稈搬送装置４における排稈チェン５を巻き掛けたチェンフレーム６を、切替レバー７の操作により、例えば後部側を支軸としてその前部側を下動させて排稈チェン５を挟持位置Ａに保持したときは、フィードチェン２より受け継いだ脱穀済排稈を排稈処理装置３へ搬送させる。次に、切替レバー７の操作により、チェンフレーム６を上動させて排稈チェン５を挟持解除位置Ｂに保持したときは、排稈チェン５の搬送通路が開放されて排稈の排稈処理装置３への搬送を不能とする。
【０００７】
このように、単一の切替レバー７の操作によりチェンフレーム６を下動又は上動させることによって、排稈チェン５を挟持位置Ａに保持して排稈を挟持搬送させる状態と、挟持解除位置Ｂに保持して排稈の挟持解除による搬送不能の状態とに切り替えることができるから、例えば従来の如く、扱胴カバーの押圧によって挟持位置Ａを保持させるもののように、該カバーの締め付け緩み等により排稈の搬送能力が低下して搬送詰まりを起すというような不具合を防止することができると共に、挟持解除位置Ｂを保持させるためのオイルダンパー等も不要となりコスト低減を図ることができる。また、排稈チェン５の挟持位置Ａにおける排稈の挟持力等を扱胴カバーの開扉に関係なく単独で調整することができるから、この挟持力等の調整を的確且つ容易に行うことができる。
また、フィードチェン２を張設したチェンフレーム４９を外方に向けて開くと、前記チェンカバー５５及び唐箕カバー前５６ａが外方に向けて開くように構成したので、保守点検作業が容易となる。そして、保守点検作業が容易となることで、脱穀装置１全体の機能低下を防止できて、安定した脱穀性能を保持することができるようになる。
【０００８】
【実施例】
以下に、この発明の実施例をコンバインについて図面に基づき説明する。
コンバインの車台８の下部側に土壌面を走行する左右一対の走行クローラ９を設けた走行装置１０を配設し、該車台８上に、フィードチェン２に挟持して供給される穀稈を脱穀し、この脱穀された穀粒を選別回収して一時貯留する穀粒タンクから穀粒を機外へ排出する排出筒１１を備えた脱穀装置１を載設する。この脱穀装置１の前方側に立毛穀稈を分草する分草体１２と、分草された穀稈を引き起こす引起部１３と、引き起こした穀稈を刈り取る刈刃部１４と、刈り取った穀稈を後方側へ搬送して該フィードチェン２へ受け渡しする搬送部１５とを設けた刈取装置１６を、土壌面に対して上下昇降自在となるよう該車台８の前端部へ装架する。該脱穀装置１の一側にコンバインの操作制御を行う操作装置１７と、この操作のための操作席１７ａとを設け、これらの各装置１０，１，１６，１７等に
よって車体１８を構成する。
【０００９】
該脱穀装置１は、上部側に脱穀室１９と処理室２０を下部側に選別室２１を各々配置し、該脱穀室１９には穀稈を脱穀処理する扱胴２２を入口側となる前部から出口側となる後部に向けて軸架内装すると共に、処理室２０には、その前半部分に還元された二番物を前方に送りながら選別室２１へ漏下させる撹拌胴と、後半部分に脱穀物を再処理する処理胴を連接した撹拌処理胴２３を扱胴２２と平行して軸架内装する。穀稈の搬送通路に沿って穀稈を挟持搬送する該フィードチェン２と、扱胴２２の略下半部を包囲する扱網１９ａと、この扱網１９ａの出口側端部に脱穀排塵物を排出する脱穀排塵口１９ｂとを設けて構成する。
【００１０】
該選別室２１には、脱穀処理されて扱網１９ａから漏下した脱穀物を揺動移送しながら選別を行う縦長の揺動選別棚２４を、該扱胴２２の軸方向に沿ってその入口側部を上手側として出口側に向け架設すると共に、この揺動選別棚２４の上手側下方に羽根の回転により選別風を起風する唐箕２５を配設し、該揺動選別棚２４と唐箕２５によって選別された一番穀粒を収容して横送り集穀する一番螺旋２６と、二番物を収容して横送り集積する二番螺旋２７とを各々揺動選別棚２４の下方に配置して構成する。
【００１１】
該揺動選別棚２４の下手側上方にシロッコファン等により脱穀排塵を機外へ排塵する排塵ファン２８を、上部カバー２８ａと下部ガイド２８ｂによりファン排塵口２９を形成して設け、このファン排塵口２９を、脱穀装置１の出口側壁３０に装架した、相対する多数の円盤刃３ａ，３ｂによって排稈を裁断処理して機外へ排出する排稈処理装置３の適宜位置に開口して構成する。
【００１２】
前記脱穀室１９の出口側仕切板３１を隔てて脱穀済排稈を後方側の排稈処理装置３へ搬送する排稈搬送装置４を配設する。この排稈搬送装置４は、排稈の株元側寄りをチェンにより挟持搬送する株元側排稈チェン５ａを巻き掛け保持する株元側チェンフレーム６ａと、穂先側寄りを起立式のラグにより係合搬送する穂先側排稈チェン５ｂを巻き掛け保持する穂先側チェンフレーム６ｂとによって構成される排稈チェン５及びチェンフレーム６を、平面視適宜間隔に略平行配置させると共に、前記フィードチェン２の終端部近傍の内側位置から後側つまり該排稈処理装置３の右側位置へ向けて斜設して構成する。
【００１３】
該両チェンフレーム６ａ，６ｂの前部側と後部側の適宜位置を、前連結板３２ａと後連結板３２ｂによって連結すると共に、この後連結板３２ｂから後方へ向け突設した回動アーム３３を、脱穀装置１の側壁の一側から後方側へ向けて延長した排稈支持主フレーム３４の後端部に固着した回動支軸３５に回動可能に支承する。該主フレーム３４の後端部から更に、該両チェンフレーム６ａ，６ｂの前端部を支持させる排稈支持副フレーム３６を脱穀室１９の出口側仕切板３１に近接する位置まで延長配置して構成する。
【００１４】
前記扱胴２１を軸架する扱胴軸３７の、該出口側仕切板３１の外側に軸止した駆動側プーリ３８からベルト３９を介して動力を伝達する従動側プーリ４０と、該株元側排稈チェン５ａを駆動する株元駆動スプロケット４１とを、一対のベベルギヤを内装したギヤケース４２を介して伝動可能に連結すると共に、このギヤケース４２を株元側チェンフレーム６ａの前端部に固着したケース取付板４３に取り付けて構成する。
【００１５】
該排稈支持副フレーム３６は前端部を逆Ｌ字状に下方側へ適宜長さ折曲し、この折曲下端部にＵ字状の切替支持受金４４を固着し、この切替支持受金４４の下部側に、該排稈チェン５により脱穀済排稈の搬送を可能とする挟持位置Ａと、この挟持位置Ａによる搬送を解除する挟持解除位置Ｂとに切り替える切替レバー７の支軸７ａを回動可能に軸承して構成する。
【００１６】
該ケース取付板４３上面から、係止軸４５を固定金４５ａによって該切替支持受金４４位置まで突設し、この係止軸４５を、該切替レバー７の支軸７ａから上部側に上下二段に設けた係止溝の下段係止溝７ｂ側に係止させたときは、切替支持受金４４上端に設けた保持溝４４ａとの間で挟持させて排稈チェン５を挟持位置Ａに保持し、該下段係止溝７ｂから係止軸４５を切替レバー７の回動により離脱させて排稈チェン５を上方に持ち上げ上段係止溝７ｃに係止軸４５を係止させたときは、排稈チェン５を挟持解除位置Ｂに保持させるよう構成する。
【００１７】
該株元側チェンフレーム６ａの後連結板３２ｂ近傍に該穂先側排稈チェン５ｂを駆動するための穂先駆動スプロケット４６を、該株元側排稈チェン５ａによって駆動可能に配置すると共に、株元側チェンフレーム６ａの後端部に株元側排稈チェン５ａの張力調節と藁稈の巻き付きを防止するチェン支持板４７を調節可能に配設する。該排稈チェン５には、株元及び穂先とも排稈の搬送通路に摺接させて排稈を挟持及び係合させる排稈挟持杆４８を、排稈の搬送量に対して上下動させて調圧可能に配置構成する。
【００１８】
刈取装置１６で刈り取られ搬送部１５から脱穀装置１へ供給された穀稈は、フィードチェン２の挟持搬送により脱穀処理が行われ、脱穀処理の終了により脱穀装置１から排出された脱穀済み排稈は、排稈搬送装置４へ引き継いで後方の排稈処理装置３へ搬送される。
このような脱穀済排稈の搬送を行うときは、株元側チェンフレーム６ａから突出させた係止軸４５を切替支持受金４４上端に設けた保持溝４４ａに保持させ、この保持された係止軸４５を切替レバー７の回動により下段係止溝７ｂに挟持係止させる。この係止により両排稈チェン５ａ，５ｂを挟持位置Ａに保持し、排稈チェン５と排稈挟持杆４８とによる搬送通路によって排稈を排稈処理装置３へ挟持搬送させる。
【００１９】
次に、脱穀済排稈の排稈処理装置３への搬送を中止させるときは、切替レバー７を回動させて下段係止溝７ｂを係止軸４５から離脱させて排稈チェン５の前部側を後部側の回動支軸３５回りに上動させ、切替レバー７の上段係止溝７ｃに係止軸４５を係止させる。この係止により両排稈チェン５ａ，５ｂを挟持解除位置Ｂに保持し、排稈チェン５と排稈挟持杆４８とによる搬送通路を開放して排稈の排稈処理装置３への搬送を中止させる。
【００２０】
このように、単一の切替レバー７の操作によりチェンフレーム６を下動又は上動させることによって、排稈チェン５を挟持位置Ａと挟持解除位置Ｂとに簡単容易に且つ的確に切り替え保持させることができるから、排稈搬送装置４の構成を簡素化しうると共に、安定した性能を維持させることができる。
また、排稈搬送装置４の排稈チェン５前部側を後部側の回動支軸３５回りに下動又は上動させることにより、従来の如く、排稈チェン５とチェンフレーム６を別のフレームに装架して下動又は上動させるものに比べ、排稈チェン５のチェンフレーム６自体を後部側の回動支軸３５により上下動させているため、排稈詰まり等によって排稈チェン５を挟持位置Ａから挟持解除位置Ｂに切り替える際に、排稈が搬送通路一杯に詰まっていても回動支軸３５から下方側に下がる部分が殆どないから、排稈挟持杆４８による抵抗が少なく円滑に排稈チェン５の前部側を上動させて排稈通路を開放することができる。
【００２１】
なお、排稈チェン５自体を回動支軸３５によって回動させるため、排稈搬送ライン上で平行に排稈チェン５が下動又は上動するから構成上精度の確保が容易であると共に、排稈チェン５を下動又は上動させるための別の上下動用フレームを必要としないからコスト低減が可能である。
また、図６に示す如く、脱穀装置１のフィードチェン２を張設したチェンフレーム４９を、脱穀装置１の入口側壁５０下部においてフィードチェン２側の端部に設けたチェン回動支軸５１を支点として、脱穀装置１の本体から外方に向けて開閉可能に構成すると共に、このチェンフレーム４９の内側に脱穀装置１の左側壁５２の切りかぎ部をカバーする側壁補助板５３と、脱穀室１９の扱網１９ａ上部の穀稈を案内する穀稈案内板５４とを、また外側にフィードチェン２関係の防護を行うチェンカバー５５と、このカバー５５の下側に唐箕２５関係の吸気と防護を行う唐箕カバー前５６ａとを各々一体的に連設構成する。
【００２２】
このフィードチェン２関係を外側へ開放するときは、まずフィードチェン２に穀稈を挟持する穀稈挟持杆２ａを備えた扱胴カバー５７を開扉し、次にフィードチェン２終端部を本体側のチェン駆動軸５８から離脱させながら、チェンフレーム４９と共に側壁補助板５３，穀稈案内板５４，チェンカバー５５，唐箕カバー前５６ａを開放させる。なお、５６ｂは固定の唐箕カバー後、５９は唐箕２５を駆動する唐箕プーリ、６０は脱穀装置１の各部を駆動する脱穀駆動プーリ、６１はそのベルトを示す。
【００２３】
このように、フィードチェン２と共にチェンカバー５５と唐箕カバー前５６ａとを同時に外方へ開放することによって、刈取装置１６から脱穀装置１への穀稈の引き継ぎ時に、唐箕カバー前５６ａの内側に落下堆積した藁屑や揺動選別棚２４上の藁屑等を、フィードチェン２を開放するだけの簡単な操作で容易に除去することができるから、この除去をタイムリーに行うことにより、選別性能の低下と駆動部への藁屑の巻き付き等を防止して、安定した脱穀性能を保持させることができる。
【図面の簡単な説明】
【図１】  排稈搬送装置の排稈挟持位置の切替作用関係を示す側面図。
【図２】  排稈搬送装置の全体構成を示す斜視図。
【図３】  排稈搬送装置の排稈挟持位置の切替装置関係を示す部分斜視図。
【図４】  排稈搬送装置の配置関係を示す脱穀装置の概略平断面図。
【図５】  排稈搬送装置の配置関係を示す脱穀装置の概略側断面図。
【図６】  フィードチェン関係の外側への開放状態を示す脱穀装置の斜視図。
【図７】  コンバインの全体を示す斜視図。
【符号の説明】
１    脱穀装置
２    フィードチェン
３    排稈処理装置
４    排稈搬送装置
５    排稈チェン
６    チェンフレーム
７    切替レバー
２５ 唐箕
４９ チェンフレーム
５０ 入口側壁
５１ チェン回動支軸
５５ チェンカバー
５６ａ 唐箕カバー前
Ａ．    挟持位置
Ｂ．    挟持解除位置
【図１】
0003852130.tif 000002
【図２】
0003852130.tif 000003
【図３】
0003852130.tif 000004
【図４】
0003852130.tif 000005
【図５】
0003852130.tif 000006
【図６】
0003852130.tif 000007
【図７】
0003852130.tif 000008